(57)【要約】【課題】髪の毛を効果的にトラップすることができる浴室排水口のトラップ部材を提供することである。【解決手段】浴室の洗い場の床２０に設けられた排水口２１に、トラップ部材１１を設ける。トラップ部材１１は、環状枠１０と中心軸４の間に、複数の羽根３が放射状に設けられており、各羽根３は同一方向に傾斜している。排水口２１に湯水が流入すると、流入した湯水によって各羽根３が同一回転方向に力を受け、トラップ部材１が回転し、髪の毛が各羽根３にトラップされる。【選択図】図１
2012067532.tif 000002
【特許請求の範囲】
【請求項１】
浴室の排水口に設置され、排水口に続く排水路に異物が流れるのを阻止する浴室排水口のトラップ部材であって、前記排水口にプロペラ部材を配置し、前記プロペラ部材は流入する水によって回転することを特徴とする浴室排水口のトラップ部材。
【請求項２】
前記プロペラ部材には排水路の内面に接触する清掃部材が固定されていることを特徴とする請求項１に記載の浴室排水口のトラップ部材。
【発明の詳細な説明】
【技術分野】
【０００１】
本発明は、浴室排水口で異物をトラップするトラップ部材に関するものである。
【背景技術】
【０００２】
浴室の排水路に髪の毛等の異物が流れると、異物は排水路の内壁に付着し、次第に流路を狭め、やがてほとんど排水できなくなる。そこで、排水路に異物が流れないように、予め排水口にフィルタ部材を配置し、フィルタ部材で異物をトラップする手法が一般に採用されている。特許文献１には、このような構成が開示されている。
【０００３】
特許文献１には、排水口に蓄積した塵芥が見えないようにカバーで覆う構成が開示されている。特許文献１に開示されている構成を採用すると、排水口に蓄積した塵芥が見えなくなり、利用者に不快感や不潔感を与えることがない。
【先行技術文献】
【特許文献】
【０００４】
【特許文献１】特開平９−２９１５７７号公報
【発明の概要】
【発明が解決しようとする課題】
【０００５】
ところで、特許文献１の構成では、網体の目を細かくすると早期に目詰まりしてしまい、逆に網体の目を粗くすると、髪の毛等の異物が排水路に流れてしまう。
【０００６】
そこで本発明は、髪の毛を効果的にトラップすることができる浴室排水口のトラップ部材を提供することを目的としている。
【課題を解決するための手段】
【０００７】
上記課題を解決するための請求項１の発明は、浴室の排水口に設置され、排水口に続く排水路に異物が流れるのを阻止する浴室排水口のトラップ部材であって、前記排水口にプロペラ部材を配置し、前記プロペラ部材は流入する水によって回転することを特徴とする浴室排水口のトラップ部材である。
【０００８】
請求項１の発明では、排水口にプロペラ部材を配置し、プロペラ部材は流入する水によって回転するので、髪の毛を絡め取り易い。また、髪の毛が特定箇所に集中して蓄積され、排水を阻害するのを防止できる。
【０００９】
請求項２の発明は、前記プロペラ部材には排水路の内面に接触する清掃部材が固定されていることを特徴とする請求項１に記載の浴室排水口のトラップ部材である。
【００１０】
請求項２の発明では、プロペラ部材には排水路の内壁に接触する清掃部材が固定されているので、プロペラ部材が回転すると、清掃部材も回転する。その結果、清掃部材が排水路の内面に沿って摺動する。よって、排水時に、排水路の内面を自動的に清掃することができ、排水路の内面に異物が蓄積し、排水路が狭まることを防止することができる。
【発明の効果】
【００１１】
本発明の浴室排水口のトラップ部材は、プロペラ部材が回転するので、髪の毛を絡め取り易い。また、プロペラ部材が回転するので、髪の毛が特定箇所に集中して蓄積され、排水を阻害するのを防止できる。排水される湯水によって、トラップ部材が自動的に回転し、髪の毛をトラップするので、人手をかけず、髪の毛のトラップの効率を向上させることができる。
【図面の簡単な説明】
【００１２】
【図１】本発明の浴室排水口のトラップ部材の斜視図である。
【図２】封水筒の斜視図である。
【図３】浴室の洗い場の排水口付近の斜視図である。
【発明を実施するための形態】
【００１３】
以下、図面を参照しながら本発明の実施例を説明する。図３に示すように、浴室の洗い場の、例えばコーナ部の床２０に設けられた排水口２１に、封水筒１１を介してトラップ部材１が配置される。図２に示すように封水筒１１は、上部に外向きのフランジ部１２を有している。
【００１４】
また、封水筒１１の内部には、フランジ部１２に連続する段部１３が形成されている。そして、フランジ部１２の内側であって、下方には円筒部１４が設けられている。円筒部１４の内面１４ａは排水される湯水の通路となる。
【００１５】
この封水筒１１に、図１に示す本発明を実施したトラップ部材１が配置される。図１に示すようにトラップ部材１は、環状枠１０と中心軸４とが複数の羽根３で接続されたプロペラ部材２を備えている。各羽根３は、中心軸４側から環状枠１０側へいくほど幅広となる板状の部材であり、同一の方向に傾斜して設置されている。
【００１６】
環状枠１０の下部には、板状の縦枠５，６が互いに１８０度の位置に固着されている。縦枠５，６の厚みは、環状枠１０の半径方向の幅よりも小さく、縦枠５，６は環状枠１０の内周側に偏って配置されている。
【００１７】
図１に示すように縦枠５の外側の側面には、刷子８が設けられている。同様に縦枠６の外側の側面には、刷子９が設けられている。そして、縦枠５，６の下部同士が、板状の横枠７で接続されている。横枠７の中央部分は、中心軸４が貫通して固定されている。
【００１８】
このような構成を有するトラップ部材１が、封水筒１１に装着される。すなわち、封水筒１１の段部１３にトラップ部材１の環状枠１０が載置される。その際、縦枠５，６の刷子８，９が、封水筒１１の円筒部１４の内面１４ａに接触する。そして、この封水筒１１が、浴室の洗い場の、例えばコーナ部の床２０に設けられた排水口２１に設置される。
【００１９】
排水口２１には、封水筒１１のフランジ部１２を着床させる段２１ａが設けられている。さらに排水口２１には、段２１ａよりも上側に別の段２１ｂが設けられている。段２１ｂには、目皿１５が配置される。この目皿１５の網目よりも大きい異物は、目皿１５でトラップされる。
【００２０】
排水口２１には、目皿１５とトラップ部材１とが設けられる。この排水口２１には、髪の毛等の異物が流れ着く。そして、目皿１５をすり抜けた髪の毛は、トラップ部材１に達する。このとき、排水口２１に流れ込む湯水によって、トラップ部材１の傾斜した羽根３が一方向に力を受け、トラップ部材１は回転する。そして、髪の毛は羽根３に絡め取られる。
【００２１】
また、トラップ部材１が回転すると、縦枠５，６に設けられた刷子８，９が、封水筒１１の内面１４ａをこすりながら移動する。その結果、内部１４ａの表面に付着した汚れが清掃される。よって、内部１４ａに異物が蓄積し、流路が狭まるのを防ぐことができる。すなわち、トラップ部材１が床２０を流れる湯水によって自動的に回転し、髪の毛をトラップすると共に、内部１４ａを清掃するので、人手をかけず、髪の毛のトラップの効率を向上させ、さらに封水筒１１の内面１４ａを清潔に保つことができる。
【００２２】
上述のトラップ部材１を、モータで駆動するように構成することもできる。すなわち、封水筒１１側にモータ（図示せず）を設け、このモータによって中心軸４を回転駆動させる。その結果、中心軸４の上部に設けられたプロペラ部材２を回転させることができる。すなわちモータは、トラップ部材１を流水の量によらず回転させたり、流水によるトラップ部材１の回転力を補助することができる。
【符号の説明】
【００２３】
１    トラップ部材
２    プロペラ部材
３    羽根
４    中心軸
５，６  縦枠
７    横枠
８，９  刷子
１０  環状枠
１１  封水筒
１２  フランジ部
１３  段部
１４  円筒部
１４ａ  円筒部の内面
１５  目皿
２０  床
２１  排水口
【図１】
2012067532.tif 000003
【図２】
2012067532.tif 000004
【図３】
2012067532.tif 000005